(57)【要約】      （修正有）【課題】雷を捕捉してこれが保持する自然電力を貯電し、原子力発電及び火力発電に換えて活用することができる雷電力貯電装置を提供する。【解決手段】円錐台形で中空とした雷捕捉塔１の頂部１Ａと側部１Ｂに、発生した雷Ｔを落雷させて捕捉する銅製棒状体２、２、２・・・を備える。前記雷捕捉塔１に備えた銅製棒状体２、２、２・・・が捕捉した雷電流を伝送配線３を介して蓄電器に伝送する。伝送配線３によって伝送された雷電流を蓄電器に貯電する。【選択図】図１
0003144489.tif 000002
【実用新案登録請求の範囲】
【請求項１】
雷から一般汎用に供するに充分な電力を捕捉するための「採雷発電機塔及び蓄電器から充電地へ」の考案
【考案の詳細な説明】
【技術分野】
【０００１】  本考案は、雷が発する電力を捕捉し、この電力を一般汎用として供することの考案。
詳細は、採雷発電機塔考案に関する説明書に記載。
【背景技術】
【０００２】  本考案は、雷から電力を捕捉するために、採雷発電機塔（図１）を構築しなければならない。更に、蓄電器から充電池へ概略図（図４）のように、蓄電器から充電地へ電力を充填して販売する。
【考案の開示】
【考案が解決しようとする課題】
【０００３】  現在活用している発電方法には、原子力の場合の爆発事故による地球及び人類・動・植物に対する極めて危険な要素があり、又、火力発電は、貴重な鉱物資源を消滅する等の問題がある。
地球上の自然現象である降雨時に発生する「雷」を捕捉し、これが保持する自然電力を上記の原子力及び天然資源を消費する火力発電方法に換えて活用する。
【課題を解決するための手段】
【０００４】  図１（概略図）のように、採雷発電機塔を建設する。降雨時に先端及び胴部の銅製棒状体を上昇させ、発生した雷を捕捉する。
捕捉した雷が保持する電力を、別の場所に用意した蓄電器へ貯電する。
更に、図４（概略図）のように、蓄電器から各種の充電地（バッテリー）へ充電した後、これを汎用する。
【考案の効果】
【０００５】  本考案によって、自然現象からの電力捕捉が可能となり、原子力や資源消費が免れ、比較的安全性が大きいと思料する。又、現在、国際的に協議されている京都議定書に言うところの「地球温暖化防止対策」として二酸化炭素等の著しい減少に効果があるものと思料される。
【考案を実施するための最良の形態】
【０００６】  風力発電機塔との隣接し、これを蓄電器へ貯電する箇所で連結した態様が望ましい。
晴天・曇天時で風力発生時は、隣の風力発電機塔が、その威力を発揮し、雨天に伴う雷雨時は、本考案の採雷発電気塔を最大限に使用すれば一挙両得であると考慮する。
【図面の簡単な説明】
【０００７】
【図１】  本考案に係わる採雷発電機塔の概略図の断面図
【図２】  本考案に係わる採雷発電機塔の俯瞰図の概略図  １
【図３】  本考案に係わる採雷発電機塔の俯瞰図の概略図  ２
【図４】  蓄電器から充電地へ電流を蓄電する概略図。
【図１】
0003144489.tif 000003
【図２】
0003144489.tif 000004
【図３】
0003144489.tif 000005
【図４】
0003144489.tif 000006
【手続補正書】
【提出日】平成20年5月30日(2008.5.30)
【手続補正１】
【補正対象書類名】実用新案登録請求の範囲
【補正対象項目名】全文
【補正方法】変更
【補正の内容】
【実用新案登録請求の範囲】
【請求項１】
発生した雷を落雷させて捕捉する銅製棒状体を外周に備えた雷捕捉塔と、前記雷捕捉塔に備えた銅製棒状体が捕捉した雷電流を蓄電器に伝送する伝送配線と、前記伝送配線によって伝送された雷電流を貯電する蓄電器とからなることを特徴とする雷電力貯電装置。
【手続補正２】
【補正対象書類名】明細書
【補正対象項目名】全文
【補正方法】変更
【補正の内容】
【考案の詳細な説明】
【技術分野】
【０００１】  本考案は、雷が発する電力を捕捉し、この電力を一般汎用の電力として利用することができるようになした雷電力貯電装置に関するものである。
【背景技術】
【０００２】現在活用している発電方法には、主に原子力発電と火力発電とがあり、原子力発電の場合には爆発事故による地球及び人類、動物、植物に対する極めて危険な要素があり、また火力発電の場合には貴重な鉱物資源を消滅させる等の問題がある。
【考案の開示】
【考案が解決しようとする課題】
【０００３】本考案は上記の点に鑑みなされたものであって、地球上の自然現象である降雨時に発生する雷を捕捉し、これが保持する自然電力を利用することによって、上記の問題点を有する原子力発電及び火力発電に換えて活用することができるようになした雷電力貯電装置を提供しようとするものである。
【課題を解決するための手段】
【０００４】而して、本考案の要旨とするところは、発生した雷を落雷させて捕捉する銅製棒状体を外周に備えた雷捕捉塔と、前記雷捕捉塔に備えた銅製棒状体が捕捉した雷電流を蓄電器に伝送する伝送配線と、前記伝送配線によって伝送された雷電流を貯電する蓄電器とからなることを特徴とする雷電力貯電装置にある。【０００５】本考案は、雷捕捉塔に備えた銅製棒状体によって雷を落雷させて捕捉し、該銅製棒状体が捕捉した雷電流を伝送配線を介して蓄電器に伝送し、該蓄電器に貯電するものである。そして、該貯電した電流は充電池に充填して用いるものである。
【考案の効果】
【０００６】本考案は上記の如き構成であり、雷が発する自然電力を捕捉して利用するものであるから、前記問題点を有する従来の原子力発電や火力発電に換わる電力供給源として利用することができるものである。
【考案を実施するための最良の形態】
【０００７】以下、本考案に係る雷電力貯電装置を実施するための最良の形態について、図面を参照して説明する。【０００８】図１は本考案に係る雷電力貯電装置における雷捕捉塔の概略的説明図、図２は同雷捕捉塔の平面図、図３は同雷捕捉塔の他の例の平面図、図４は銅製棒状体が捕捉した雷電流を伝送配線を介して蓄電器へ伝送する状態の説明図である。【０００９】図中、１雷捕捉塔であり、その外周には発生した雷Ｔを落雷させて捕捉する銅製棒状体２、２、２・・・を備えている。また、本実施形態にあっては、前記雷捕捉塔１を円錐台形で中空とし、図１及び図２に示す如く、その頂部１Ａ及び側部１Ｂに前記銅製棒状体２、２、２・・・を備えている。また、前記銅製棒状体２、２、２・・・は、降雨時において雷が発生するときに雷捕捉塔１の周面から突き出るようにする。また、前記雷捕捉塔１の形態としては、図３に示す如く角錐台形としてもよい。なお、その他の点については前記図１及び図２の場合と同様であるから、同一の部材には同一の符号を付して詳細な説明は省略する。【００１０】３は伝送配線であり、前記雷捕捉塔１に備えた銅製棒状体２、２、２・・・が捕捉した雷電流を後記蓄電器に伝送するものである。また、該伝送配線３は、後記蓄電器の容量が満杯のときには雷電流を蓄電器へ伝送せず、地中へ流すようになしている。【００１１】４、４、４・・・は蓄電器であり、前記伝送配線３によって伝送された雷電流を貯電するものである。また、本実施形態においては、該蓄電器４、４、４・・・は前記伝送配線３に複数連結している。そしてまた、該蓄電器４、４、４・・・に貯電した電流は、図４に示す如き種々の充電池５、５、５・・・に充填して用いるものである。【００１２】本実施形態は上記の如くであり、雷捕捉塔１に備えた銅製棒状体２、２、２・・・によって雷Ｔを落雷させて捕捉し、該銅製棒状体２、２、２・・・が捕捉した雷電流を伝送配線３を介して蓄電器４、４、４・・・に伝送し、該蓄電器４、４、４・・・に貯電するものである。そして、該貯電した電流は充電池５、５、５・・・に充填して用いるものである。【００１３】また、本考案に係る雷電力貯電装置１は、風力発電機（図示せず。）に隣接して設置し、これを蓄電器へ貯電する箇所で連結した態様が望ましい。このようになした場合には、晴天或いは曇天のときにおいて風力発生時には隣接の風力発電機によって貯電し、また雨天のときにおいて雷発生時には本考案に係る雷電力貯電装置１によって貯電することができ、一挙両得である。
【図面の簡単な説明】
【００１４】
【図１】本考案に係る雷電力貯電装置における雷捕捉塔の概略的説明図である。
【図２】同雷捕捉塔の平面図である。
【図３】雷捕捉塔の他の例の平面図である。
【図４】銅製棒状体が捕捉した雷電流を伝送配線を介して蓄電器へ伝送する状態の説明図である。
【符号の説明】
【００１５】１  雷捕捉塔
２  銅製棒状体
３  伝送配線
４  蓄電器
５  充電池
【手続補正３】
【補正対象書類名】図面
【補正対象項目名】全図
【補正方法】変更
【補正の内容】
【図１】
0003144489.tif 000007
【図２】
0003144489.tif 000008
【図３】
0003144489.tif 000009
【図４】
0003144489.tif 000010